(57)【要約】【課題】　リレーを内蔵することで、部品点数や電気的な接続回数を削減して低コスト化と小型化及び信頼性の向上を図ることができる電気接続箱を提供する。【解決手段】　接続箱本体１１内にリレー１２を備えた電気接続箱１０であって、接続箱本体１１内に、電気部品１８の端子１８ａを接続する接続部１４ｄを少なくとも一方に形成した一対のブスバー１３，１４をそれぞれ配索すると共に、電源供給用の一対の端子１６，１７を相対向するようにそれぞれ配索し、電源供給用の一対の端子１６，１７にリレーコイル１５の両端を接続すると共に、一対のブスバー１３，１４のうちの少なくともどちらか一方のブスバー１３（１４）の端部を該リレーコイル１５の接点部１３ｃ（１４ｃ）とした。【選択図】　　　図１
2004048994.tif 000002
【特許請求の範囲】
【請求項１】
接続箱本体内にリレーを備えた電気接続箱であって、
　前記接続箱本体内に、一対のブスバーをそれぞれ配索すると共に、電源供給用の一対の端子を相対向するようにそれぞれ配索し、この電源供給用の一対の端子にリレーコイルの両端を接続すると共に、前記一対のブスバーのうちの少なくともどちらか一方のブスバーの端部を該リレーコイルの接点部としたことを特徴とする電気接続箱。
【請求項２】
請求項１記載の電気接続箱であって、
　前記どちらか一方のブスバーの他端に電気部品の端子を接続する接続部を形成したことを特徴とする電気接続箱。
【発明の詳細な説明】
【技術分野】
【０００１】
　本発明は、接続箱本体内にリレー（継電器）を一体的に組み込んだ電気接続箱に関する。
【背景技術】
【０００２】
　従来の電気接続箱として、図３に示すものや、図５に示す特開平２−７４１１４号公報のものが知られている。
【０００３】
　図３に示す電気接続箱１は、合成樹脂製の接続箱本体２を有している。この接続箱本体２上の所定位置には、リレー３が嵌合されるコネクタ部２ａを一体突出形成してある。図４に示すように、リレー３は、合成樹脂製の基板３ａと、この基板３ａを覆う合成樹脂製で箱形の外カバー３ｂとを有している。基板３ａにはコ字板状の接続端子４の雄タブ部４ａの基端と板状の接続端子５の雄タブ部５ａの基端をそれぞれ埋設してある。
【０００４】
　一方の接続端子４の基板３ａ上にはＬ字状のコイル収容部４ｂと可動接点となる接点部４ｃを折り曲げによりそれぞれ形成してある。また、他方の接続端子５の基板３ａ上には一方の接続端子４の接点部４ｃより内側に所定クリアランス離間した固定接点となる接点部５ｃを形成してある。これら一方の接続端子４のコイル収容部４ｂと他方の接続端子５の接点部５ｃとの間にはリレーコイル６を組み込んである。このリレーコイル６の両端は基板３ａの前後に埋設された一対の接続端子７，７にそれぞれ接続されている。
【０００５】
　そして、リレーコイル６に一対の接続端子７，７を介して電流を流して通電すると、該リレーコイル６が電磁石となって一方の接続端子４の外側に位置する接点部４ｃが他方の接続端子５の内側に位置する接点部５ｃに引き寄せられて接触する。これにより、両接点部４ｃ，５ｃが閉じられ、リレー３を介在させた電気接続箱１の所定の回路がオン状態（導通状態）となる。
【０００６】
　図５に示す電気接続箱１′の接続箱本体２′は、合成樹脂製のメインカバー２Ａと、複数のブスバー回路板を積層して成る積層体２Ｂと、アンダーカバー２Ｃとから構成されている。そして、メインカバー２Ａのリレー装着部２ａ′に装着されたリレー３′は、中継端子８を介して積層体２Ｂ上に突出したブスバー９の雄タブ部９ａに接続されている。
【特許文献１】特開平２−７４１１４号公報
【発明の開示】
【発明が解決しようとする課題】
【０００７】
　しかしながら、前記従来の電気接続箱１では、リレー３を接続箱本体２のコネクタ部２ａに結合する構造になっているので、リレー３の各接続端子４，５，７や外カバー３ｂ或いは接続箱本体２のコネクタ部２ａを含めて電気的な接続のための無駄な部品や部材が必要不可欠となり、その分部品点数が増えてコスト高になっていると共に電気的な接続部分が増えることで信頼性の低下を招いていた。
【０００８】
　また、前記他の従来例の電気接続箱１′では、メインカバー２Ａに装着されるリレー３′の図示しない接続端子が中継端子８を介して積層体２Ｂ上のブスバー９の雄タブ部９ａに接続されるようになっているので、中継端子８が必要な分、部品点数が増えてコスト高であった。
【０００９】
　そこで、本発明は、前記した課題を解決すべくなされたものであり、接続箱本体にリレーを内蔵することができ、部品点数や電気的な接続回数を削減して低コスト化と小型化及び信頼性の向上を図ることができる電気接続箱を提供することを目的とする。
【課題を解決するための手段】
【００１０】
　請求項１の発明は、接続箱本体内にリレーを備えた電気接続箱であって、前記接続箱本体内に、一対のブスバーをそれぞれ配索すると共に、電源供給用の一対の端子を相対向するようにそれぞれ配索し、この電源供給用の一対の端子にリレーコイルの両端を接続すると共に、前記一対のブスバーのうちの少なくともどちらか一方のブスバーの端部を該リレーコイルの接点部としたことを特徴とする。
【００１１】
　この電気接続箱では、接続箱本体内にリレーを一体的に形成したので、部品点数や電気的な接続回数が可及的に削減され、全体の低コスト化と小型化及び信頼性の向上が図られる。
【００１２】
　請求項２の発明は、請求項１記載の電気接続箱であって、前記どちらか一方のブスバーの他端に電気部品の端子を接続する接続部を形成したことを特徴とする。
【００１３】
　この電気接続箱では、リレーの一部となるどちらか一方のブスバーの他端に接続部を形成したので、リレーに電気部品を接続する際に中継端子等の別の部品が不要となり、その分部品点数が削減されて全体の低コスト化がより一層図られる。
【発明の効果】
【００１４】
　以上説明したように、請求項１の発明によれば、接続箱本体内にリレーを一体的に形成したので、部品点数や電気的な接続回数を可及的に削減することができて全体の低コスト化と小型化及び信頼性の向上を図ることができる。
【００１５】
　請求項２の発明によれば、リレーの一部となるどちらか一方のブスバーの他端に接続部を形成したので、リレーに電気部品を接続する際に中継端子等の別の部品が不要となり、その分部品点数を削減することができて全体の低コスト化をより一段と図ることができる。
【発明を実施するための最良の形態】
【００１６】
　以下、本発明の一実施形態を図面に基づいて説明する。
【００１７】
　図１は本発明の一実施形態の電気接続箱の要部の拡大斜視図、図２は同電気接続箱の接続箱本体に複数のリレーを内蔵した状態を示す部分斜視図である。
【００１８】
　図１，図２に示すように、電気接続箱１０は合成樹脂製の接続箱本体１１を有している。この接続箱本体１１にはリレー１２を内蔵してある。このリレー１２は、接続箱本体１１内に配索された一対のブスバー１３，１４と、この一対のブスバー１３，１４間に介在されたリレーコイル１５と、このリレーコイル１５に電流を供給する一対のブスバー１６，１７とで構成されている。
【００１９】
　図１に示すように、一対のブスバー１３，１４の相対向する各端部１３ａ，１４ａは相対向する方向にそれぞれ延設されている。この一対のブスバー１３，１４のうちの一方のブスバー１３の端部１３ａ側には、コイル収容部１３ｂと可動接点としての接点部１３ｃを略逆Ｕ字状に折り曲げることにより形成してある。
【００２０】
　また、一対のブスバー１３，１４のうちの他方のブスバー１４の端部１４ａには、上記一方のブスバー１３の接点部１３ｃより内側に所定クリアランス離間する固定接点としての接点部１４ｃを上方に垂直に折り曲げて一体形成してある。これら一方のブスバー１３のコイル収容部１３ｂと他方のブスバー１４の接点部１４ｃとの間には、電線をコイル状に巻いてなるリレーコイル１５を収容して組み込んである。さらに、他方のブスバー１４の中央部は平面Ｌ字状に折り曲げられていて、その他端１４ｂにヒューズ（電気部品）１８の雄端子（端子）１８ａを接続する略逆Ω字状の接続部１４ｄを上方に垂直に折り曲げて一体形成してある。
【００２１】
　リレーコイル１５の両端は接続箱本体１１内に配索された電源供給用の一対のブスバー（端子）１６，１７の各端部の垂直起立部１６ａ，１７ａに接続してある。そして、リレーコイル１５の通電時、即ち、一対のブスバー１６，１７を介してリレーコイル１５に電流が流れると、該リレーコイル１５が強い電磁石となって一方のブスバー１３の外側に位置する接点部１３ｃを他方のブスバー１４の内側に位置する接点部１４ｃに引き寄せて両接点部１３ｃ，１４ｃ同士が接触する（閉じられる）ようになっている。
【００２２】
　以上実施形態の電気接続箱１０によれば、その合成樹脂製の接続箱本体１１にリレー１２を内蔵したので、従来のような中継端子や接続端子が不要となって部品点数や電気的な接続回数を可及的に削減することができる。これにより、電気接続箱１０全体の低コスト化と小型・薄型化及び信頼性の向上を図ることができる。
【００２３】
　また、リレー１２の一部となる他方のブスバー１４の他端１４ｂに略逆Ω字状の接続部１４ｄを折り曲げにより一体形成したので、リレー１２にヒューズ１８等の他の電気部品を接続する際に中継端子や接続端子の別の部品が不要となり、その分部品点数を削減することができて、電気接続箱１０全体の低コスト化をより一段と図ることができる。
【００２４】
　さらに、このようなリレー１２を用いると、小さな容量のスイッチで大きな電流を断続することができる。例えば、リレー１２とヒューズ１８等をヘッドライト回路に介在させてヘッドランプを点灯させる際に、運転席のライテイングスイッチを入れると、リレーコイル１５に電流が流れ、一対のブスバー１３，１４の両接点部１３ｃ，１４ｃ同士が閉じられてヘッドランプが点灯する。この場合、ライテイングスイッチに流れる電流はリレーコイル１５の電流だけであり、わずかな電流でよい。
【００２５】
　尚、前記実施形態によれば、リレーコイルに電流を流さない時に一対の接点部間が開いて電流を流した時に閉じる常開接点（メイク接点）型のリレーについて説明したが、リレーコイルに電流を流さない時に一対の接点部間が閉じていて電流を流した時に開く常閉接点（ブレーク接点）型のリレーに前記実施形態を適用することができることは勿論である。また、電気部品はヒューズに限られず、さらに、電気部品の端子が接続される他方のブスバーの他端の接続部もスロット状で略逆Ω字状の接続部に限られず、箱状で雌型の接続部でもよい。
【図面の簡単な説明】
【００２６】
【図１】本発明の一実施形態の電気接続箱の要部の拡大斜視図である。
【図２】上記電気接続箱の接続箱本体に複数のリレーを内蔵した状態を示す部分斜視図である。
【図３】従来例の電気接続箱の斜視図である。
【図４】上記従来例の電気接続箱に用いられるリレーの内部構造を示す斜視図である。
【図５】他の従来例の電気接続箱の分解斜視図である。
【符号の説明】
【００２７】
　１０　電気接続箱
　１１　接続箱本体
　１２　リレー
　１３，１４　一対のブスバー
　１３ａ　端部
　１３ｃ　可動接点（接点部）
　１４ａ　端部
　１４ｃ　固定接点（接点部）
　１４ｄ　接続部
　１５　リレーコイル
　１６，１７　電源供給用の一対のブスバー（端子）
　１８　ヒューズ（電気部品）
　１８ａ　雄端子（端子）
【図１】
2004048994.tif 000003
【図２】
2004048994.tif 000004
【図３】
2004048994.tif 000005
【図４】
2004048994.tif 000006
【図５】
2004048994.tif 000007